(57)【特許請求の範囲】
【請求項１】
映像信号のブランキング期間を欠落させて呼出信号として送信する玄関子機を有するテレビドアホン装置であって、
前記玄関子機から送信される前記映像信号の欠落を検出して呼出パルス信号を出力するドロップアウト検出手段と、前記ドロップアウト検出手段から出力される呼出パルス信号の入力により割り込みを発生させて割り込み内監視時間ｔ３後に再び信号の入力状態を確認して規定幅を有する正常な呼出パルス信号か否かを判定する割り込み処理手段と、前記割り込み処理手段で正常と判定された呼出パルス信号の一定時間ｔ１内における回数をカウントする検出カウンタと、ｔ１をさらに分割したｔ２毎の呼出パルス信号の無い回数をカウントする未検出カウンタと、前記検出カウンタの検出カウント値と前記未検出カウンタの未検出カウント値とを基に、それぞれ検出カウントしきい値および未検出カウントしきい値と比較して、呼出信号か否かを判定する判定制御手段とを備えたテレビドアホン装置。
【請求項２】
映像信号のブランキング期間を欠落させて呼出信号として送信する玄関子機を有するテレビドアホン装置であって、
前記玄関子機から送信される前記映像信号の欠落を検出して呼出パルス信号を出力するドロップアウト検出手段と、前記ドロップアウト検出手段から出力される呼出パルス信号の入力により割り込みを発生させて割り込み内監視時間ｔ３後に再び信号の入力状態を確認して規定幅を有する正常な呼出パルス信号か否かを判定する割り込み処理手段と、前記割り込み処理手段で正常と判定された呼出パルス信号の一定時間ｔ１内における回数をカウントする検出カウンタと、ｔ１をさらに分割したｔ２毎の呼出パルス信号の無い回数をカウントする未検出カウンタと、前記検出カウンタの検出カウント値と前記未検出カウンタの未検出カウント値とを基に、それぞれ検出カウントしきい値および未検出カウントしきい値と比較して呼出信号か否かを判定するとともに、呼出パルス信号の未検出カウント値がｔ１をｔ２で割った値より大きな一定値になった後、初めて呼出パルス信号の入力があった時点で前記２つのカウンタおよびｔ１、ｔ２を初期化して、呼出パルス信号の検出と未検出のカウントを開始する判定制御手段とを備えたテレビドアホン装置。
【発明の詳細な説明】
【０００１】
【発明の属する技術分野】
本発明は、映像表示する機能を持つテレビドアホン装置において、受信した呼出パルス信号の一定時間内のカウンタのしきい値から呼出の状態判定を行う際、呼出パルス信号とノイズとを明確に区別することで誤判定を防止する機能を備えたテレビドアホン装置に関するものである。
【０００２】
【従来の技術】
従来、この種の装置は、ノイズ除去回路を用いて、ごく短いパルスの入力をノイズとして除去したり、パルスの入力により発生する割り込みの処理内で入力ポートの状態を再度確認することにより、規定のパルス幅が確保されているかを確認し、正常な呼出パルス信号かノイズの入力かを判定して制御を行っていた。
【０００３】
【発明が解決しようとする課題】
しかしながら、上記従来の装置では、ノイズ除去回路では除去できず、かつ規定の幅に満たないパルスが連続して入力された場合は、割り込みの処理内で入力ポートの状態を再度確認した時点で、割り込みを発生させたパルスより後のパルスが入力されていると、規定のパルス幅が確保さていると判定されて、呼出パルス信号の入力として誤判定するという問題があった。
【０００４】
さらに、呼出パルス信号の入力判定は、サンプリングのための一定時間内に、パルスが何回入力されたかをカウントして行うが、サンプリングの開始されるタイミングによっては、本来有効となるべき呼出パルス信号の入力が無効となってしまう場合があるという問題があった。
【０００５】
本発明は、このような従来の問題を解決するものであり、呼出パルス信号とノイズを明確に区別することのできるテレビドアホン装置を提供することを目的とする。
【０００６】
【課題を解決するための手段】
上記目的を達成するために、本発明は、映像信号のブランキング期間を欠落させて呼出信号として送信する玄関子機を有するテレビドアホン装置において、玄関子機から送信される映像信号の欠落を検出して呼出パルス信号を出力するドロップアウト検出手段と、前記ドロップアウト検出手段から出力される呼出パルス信号の入力により割り込みを発生させて割り込み内監視時間ｔ３後に再び信号の入力状態を確認して規定幅を有する正常な呼出パルス信号か否かを判定する割り込み処理手段と、前記割り込み処理手段で正常と判定された呼出パルス信号の一定時間ｔ１内における回数をカウントする検出カウンタと、ｔ１をさらに分割したｔ２毎の呼出パルス信号の無い回数をカウントする未検出カウンタと、前記検出カウンタの検出カウント値と前記未検出カウンタの未検出カウント値とを基に、それぞれ検出カウントしきい値および未検出カウントしきい値と比較して、呼出信号か否かを判定する判定制御手段とを備えたものである。これにより、呼出信号とノイズとを明確に区別することができ、誤判定を防止することができる。
【０００７】
【発明の実施の形態】
本発明の請求項１に記載の発明は、映像信号のブランキング期間を欠落させて呼出信号として送信する玄関子機を有するテレビドアホン装置であって、前記玄関子機から送信される前記映像信号の欠落を検出して呼出パルス信号を出力するドロップアウト検出手段と、前記ドロップアウト検出手段から出力される呼出パルス信号の入力により割り込みを発生させて割り込み内監視時間ｔ３後に再び信号の入力状態を確認して規定幅を有する正常な呼出パルス信号か否かを判定する割り込み処理手段と、前記割り込み処理手段で正常と判定された呼出パルス信号の一定時間ｔ１内における回数をカウントする検出カウンタと、ｔ１をさらに分割したｔ２毎の呼出パルス信号の無い回数をカウントする未検出カウンタと、前記検出カウンタの検出カウント値と前記未検出カウンタの未検出カウント値とを基に、それぞれ検出カウントしきい値および未検出カウントしきい値と比較して、呼出信号か否かを判定する判定制御手段とを備えたテレビドアホン装置であり、玄関子機からの呼出信号をドロップアウト検出手段で受信して呼出パルス信号を出力し、判定制御手段が、この呼出パルス信号のｔ１内の検出カウント値とｔ２毎の呼出パルス信号の未検出カウント値とを基に、それぞれ検出カウントしきい値および未検出カウントしきい値と比較して、呼出信号か否かを判定することにより、呼出信号とノイズとを明確に区別することができるという作用を有する。
【０００８】
請求項２に記載の発明は、映像信号のブランキング期間を欠落させて呼出信号として送信する玄関子機を有するテレビドアホン装置であって、前記玄関子機から送信される前記映像信号の欠落を検出して呼出パルス信号を出力するドロップアウト検出手段と、前記ドロップアウト検出手段から出力される呼出パルス信号の入力により割り込みを発生させて割り込み内監視時間ｔ３後に再び信号の入力状態を確認して規定幅を有する正常な呼出パルス信号か否かを判定する割り込み処理手段と、前記割り込み処理手段で正常と判定された呼出パルス信号の一定時間ｔ１内における回数をカウントする検出カウンタと、ｔ１をさらに分割したｔ２毎の呼出パルス信号の無い回数をカウントする未検出カウンタと、前記検出カウンタの検出カウント値と前記未検出カウンタの未検出カウント値とを基に、それぞれ検出カウントしきい値および未検出カウントしきい値と比較して呼出信号か否かを判定するとともに、呼出パルス信号の未検出カウント値がｔ１をｔ２で割った値より大きな一定値になった後、初めて呼出パルス信号の入力があった時点で前記２つのカウンタおよびｔ１、ｔ２を初期化して、呼出パルス信号の検出と未検出のカウントを開始する判定制御手段とを備えたテレビドアホン装置であり、請求項１の効果に加え、さらに正確な判定を行うことができるという作用を有する。
【００１０】
以下、本発明の実施の形態について図面を用いて説明する。
（実施の形態１）
図１は本発明の実施の形態におけるテレビドアホン装置の構成を示すものである。図１において、１は室内親機であり、ドロップアウト検出手段２および判定制御手段３を有する。４は室内親機１のドロップアウト検出手段２に接続された玄関子機である。ドロップアウト検出手段２が、玄関子機４からの呼出信号を受信すると、信号の状態によって異なる回数の呼出パルス信号を判定制御手段３に出力する。判定制御手段３は、呼出パルス信号サンプリング時間内にα回以上β回未満の呼出パルス信号の入力があると、制御処理を行う。
【００１１】
以下、判定制御手段３における制御について図２から図６までを参照して説明する。図２は呼出パルス信号の幅と入力回数を時間軸に沿って示しており、図３から図６は判定制御手段３の動作を示すフローチャートである。
【００１２】
まず図２において、番号１は呼出パルス信号のサンプリング時間ｔ１以内に、規定幅Ｔ０で、α回以上β回未満の呼出パルス信号の入力があった場合の例である。この場合のサンプリング時間ｔ１内のメイン処理ＳＴ１の流れを図３のフローチャートを用いて説明する。図３において、まずＳＴ１０で未検出判定処理を行い、次にＳＴ２０でサンプリング時間ｔ１が経過したかを調べ、経過しない場合はＳＴ４０でループ時間ｔ２が経過したかを調べ、経過した場合はＳＴ１０に戻る。ＳＴ２０でサンプリング時間ｔ１が経過した場合は、ＳＴ３０で呼出パルス信号入力判定処理を行う。
【００１３】
判定制御手段３は、図３のメイン処理ＳＴ１を繰り返し行っている。呼出パルス信号サンプリングタイマがスタートした直後では、検出カウンタも未検出カウンタも「０」にリセットされている。未検出判定処理ＳＴ１０は、図４に示すように、前回ループ中に検出していなければ（ＳＴ１１）、未検出カウンタを１増やす（ＳＴ１２、ＳＴ１３）。なお、未検出カウンタの増加の際、カウンタが桁あふれを起こさないようにする（ＳＴ１４、ＳＴ１５）。
【００１４】
呼出パルス信号サンプリングタイマがスタートした直後は、サンプリング時間ｔ１はまだ経過していないので（ＳＴ２０）、ループ時間チェック（ＳＴ４０）へ進む。メイン処理全体は、ループ時間ｔ２で１周するようになっているので、ｔ２が経過するまでループし、ｔ２が経過したら再びメイン処理の先頭から処理を行う。
【００１５】
このようなループ中に、呼出パルス信号の入力があると、割り込みが発生する。図６は割り込み処理ＳＴ５０を示している。割り込みが発生し、実際に処理が行われるまでにはｔ３の時間がかかる。これを割り込み内監視時間とする。その時点では、入力状態であるので（ＳＴ５１）、ｔ３以上の幅は確保されており、規定値Ｔ０の呼出パルス信号の入力であるとして、検出カウンタを１増やす（ＳＴ５２、ＳＴ５３）。なお、検出カウンタの増加の際、膨大な回数の割り込み発生によりカウンタが桁あふれを起こさないようにする（ＳＴ５４、ＳＴ５５、ＳＴ５６）。
【００１６】
ループを繰り返しているうちに、呼出パルス信号サンプリングタイマがｔ１に達したら（ＳＴ２０）、呼出パルス信号入力判定処理（ＳＴ３０）を行う。図５は呼出パルス信号入力判定処理ＳＴ３０を示している。ここでは、検出カウンタがα回以上（ＳＴ３１）β回未満（ＳＴ３２）であり、未検出カウンタがγ回以上（ＳＴ３３）δ回未満（ＳＴ３４）であるので、制御処理を行い（ＳＴ３５）、呼出パルス信号サンプリングを再開するため、検出カウンタと未検出カウンタを「０」にリセットし（ＳＴ３６、ＳＴ３７）、呼出パルス信号サンプリングタイマｔ１を再スタートする（ＳＴ３８）。
【００１７】
図２における番号２は、呼出パルス信号サンプリング時間ｔ１以内に、α回以上β回未満で、規定値Ｔ０に満たないノイズの入力があった場合の例である。この場合のサンプリング時間ｔ１内の処理の流れについて説明する。
【００１８】
判定制御手段３は、図３のメイン処理ＳＴ１を繰り返し行っている。呼出パルス信号サンプリングタイマがスタートした直後では、検出カウンタも未検出カウンタも「０」にリセットされている。図４の未検出判定処理（ＳＴ１０）で、前回ループ中に検出していなければ（ＳＴ１１）、未検出カウンタを１増やす（ＳＴ１２、ＳＴ１３）。なお、未検出カウンタの増加の際、カウンタが桁あふれを起こさないようにする（ＳＴ１４、ＳＴ１５）。
【００１９】
呼出パルス信号サンプリングタイマがスタートした直後は、サンプリング時間ｔ１はまだ経過していないので（ＳＴ２０）、ループ時間チェック（ＳＴ４０）へ進む。メイン処理全体は、ループ時間ｔ２で１周するようになっているので、ｔ２が経過するまでループし（ＳＴ４０）、ｔ２が経過したら再びメイン処理の先頭から処理を行う。
【００２０】
このようなループ中に、ノイズの入力があると、図６の割り込み処理が発生し、実際に処理が行われるまでにはｔ３の時間がかかる。これを割り込み内監視時間とする。その時点では、入力状態でないので（ＳＴ５１）、ｔ３以上の幅が確保されておらず、規定値Ｔ０でないノイズの入力であるとして、検出カウンタを増加せず、以降の割り込み処理は行わず元に戻る。
【００２１】
ループを繰り返しているうちに、呼出パルス信号サンプリングタイマがｔ１に達したら（ＳＴ２０）、図５の呼出パルス信号入力判定処理（ＳＴ３０）を行う。ここでは、検出カウンタがα回未満（ＳＴ３１）であるので、制御処理は行わず、呼出パルス信号サンプリングを再開するため、検出カウンタと未検出カウンタを「０」にリセットし（ＳＴ３６、ＳＴ３７）、呼出パルス信号サンプリングタイマｔ１を再スタートする（ＳＴ３８）。
【００２２】
図２における番号３は、呼出パルス信号サンプリング時間ｔ１以内に、規定幅Ｔ０で、α回未満の呼出パルス信号の入力があった場合の例である。この場合のサンプリング時間ｔ１内の処理の流れについて説明する。
【００２３】
判定制御手段３は、図３のメイン処理ＳＴ１を繰り返し行っている。呼出パルス信号サンプリングタイマがスタートした直後では、検出カウンタも未検出カウンタも「０」にリセットされている。図４の未検出判定処理（ＳＴ１０）で、前回ループ中に検出していなければ（ＳＴ１１）、未検出カウンタを１増やす（ＳＴ１２、ＳＴ１３）。なお、未検出カウンタの増加の際、カウンタが桁あふれを起こさないようにする（ＳＴ１４、ＳＴ１５）。
【００２４】
呼出パルス信号サンプリングタイマがスタートした直後は、サンプリング時間ｔ１はまだ経過していないので（ＳＴ２０）、ループ時間チェック（ＳＴ４０）へ進む。メイン処理全体は、ループ時間ｔ２で１周するようになっているので、ｔ２が経過するまでループし（ＳＴ４０）、ｔ２が経過したら再びメイン処理の先頭から処理を行う。
【００２５】
このようなループ中に、呼出パルス信号の入力があると、図６の割り込み処理ＳＴ５０が発生し、実際に処理が行われるまでにはｔ３の時間がかかる。これを割り込み内監視時間とする。その時点では、入力状態であるので（ＳＴ５１）、ｔ３以上の幅は確保されており、規定値Ｔ０の呼出パルス信号の入力であるとして、検出カウンタを１増やす（ＳＴ５２、ＳＴ５３）。なお、検出カウンタの増加の際、膨大な回数の割り込み発生によりカウンタが桁あふれを起こさないようにする（ＳＴ５４、ＳＴ５５、ＳＴ５６）。
【００２６】
ループを繰り返しているうちに、呼出パルス信号サンプリングタイマがｔ１に達したら（ＳＴ２０）、図５の呼出パルス信号入力判定処理（ＳＴ３０）を行う。ここでは、検出カウンタがα回未満（ＳＴ３１）であるので、制御処理は行わず、呼出パルス信号サンプリングを再開するため、検出カウンタと未検出カウンタを「０」にリセットし（ＳＴ３６、ＳＴ３７）、呼出パルス信号サンプリングタイマｔ１を再スタートする（ＳＴ３８）。
【００２７】
図２における番号４は、呼出パルス信号サンプリング時間ｔ１以内に、規定幅Ｔ０で、β回以上の呼出パルス信号の入力があった場合の例である。この場合のサンプリング時間ｔ１内の処理の流れについて説明する。
【００２８】
判定制御手段３は、図３のメイン処理ＳＴ１を繰り返し行っている。呼出パルス信号サンプリングタイマがスタートした直後では、検出カウンタも未検出カウンタも「０」にリセットされている。図４の未検出判定処理（ＳＴ１０）で、前回ループ中に検出していなければ（ＳＴ１１）、未検出カウンタを１増やす（ＳＴ１２、ＳＴ１３）。なお、未検出カウンタの増加の際、カウンタが桁あふれを起こさないようにする（ＳＴ１４、ＳＴ１５）。
【００２９】
呼出パルス信号サンプリングタイマがスタートした直後で、サンプリング時間ｔ１はまだ経過していないので（ＳＴ２０）、ループ時間チェック（ＳＴ４０）へ進む。メイン処理全体は、ループ時間ｔ２で１周するようになっているので、ｔ２が経過するまでループし（ＳＴ４０）、ｔ２が経過したら再びメイン処理の先頭から処理を行う。
【００３０】
このようなループ中に、呼出パルス信号の入力があると、図６の割り込み処理（ＳＴ５０）が発生し、実際に処理が行われるまでにはｔ３の時間がかかる。これを割り込み内監視時間とする。その時点では、入力状態であるので（ＳＴ５１）、ｔ３以上の幅は確保されており、規定値Ｔ０の呼出パルス信号の入力であるとして、検出カウンタを１増やす（ＳＴ５２、ＳＴ５３）。なお、検出カウンタの増加の際、膨大な回数の割り込み発生によりカウンタが桁あふれを起こさないようにする（ＳＴ５４、ＳＴ５５、ＳＴ５６）。
【００３１】
ループを繰り返しているうちに、呼出パルス信号サンプリングタイマがｔ１に達したら（ＳＴ２０）、図５の呼出パルス信号入力判定処理（ＳＴ３０）を行う。ここでは、検出カウンタがβ回以上（ＳＴ３２）であるので、制御処理を行わず、呼出パルス信号サンプリングを再開するため、検出カウンタと未検出カウンタを「０」にリセットし（ＳＴ３６、ＳＴ３７）、呼出パルス信号サンプリングタイマｔ１を再スタートする（ＳＴ３８）。
【００３２】
図２における番号５は、呼出パルス信号サンプリング時間ｔ１以内に、規定幅Ｔ０で、α回以上β回未満の呼出パルス信号の入力があった場合の例である。この場合のサンプリング時間ｔ１内の処理の流れについて説明する。
【００３３】
判定制御手段３は、図３のメイン処理ＳＴ１を繰り返し行っている。呼出パルス信号サンプリングタイマがスタートした直後では、検出カウンタも未検出カウンタも「０」にリセットされている。図４の未検出判定処理（ＳＴ１０）で、前回ループ中に検出していなければ（ＳＴ１１）、未検出カウンタを１増やす（ＳＴ１２、ＳＴ１３）。なお、未検出カウンタの増加の際、カウンタが桁あふれを起こさないようにする（ＳＴ１４、ＳＴ１５）。
【００３４】
呼出パルス信号サンプリングタイマがスタートした直後で、サンプリング時間ｔ１はまだ経過していないので（ＳＴ２０）、ループ時間チェック（ＳＴ４０）へ進む。メイン処理全体は、ループ時間ｔ２で１周するようになっているので、ｔ２が経過するまでループし（ＳＴ４０）、ｔ２が経過したら再びメイン処理の先頭から処理を行う。
【００３５】
このようなループ中に、呼出パルス信号の入力があると、図６の割り込み処理（ＳＴ５０）が発生し、実際に処理が行われるまでにはｔ３の時間がかかる。これを割り込み内監視時間とする。その時点では、入力状態であるので（ＳＴ５１）、ｔ３以上の幅は確保されており、規定値Ｔ０の呼出パルス信号の入力であるとして、検出カウンタを１増やす（ＳＴ５２、ＳＴ５３）。なお、検出カウンタの増加の際、膨大な回数の割り込み発生によりカウンタが桁あふれを起こさないようにする（ＳＴ５４、ＳＴ５５、ＳＴ５６）。
【００３６】
ループを繰り返しているうちに、呼出パルス信号サンプリングタイマがｔ１に達したら（ＳＴ２０）、図５の呼出パルス信号入力判定処理（ＳＴ３０）を行う。ここでは、検出カウンタがα回以上（ＳＴ３１）β回未満（ＳＴ３２）であるが、未検出カウンタがδ回以上（ＳＴ３４）であるので、制御処理を行わず、呼出パルス信号サンプリングを再開するため、検出カウンタと未検出カウンタを「０」にリセットし（ＳＴ３６、ＳＴ３７）、呼出パルス信号サンプリングタイマｔ１を再スタートする（ＳＴ３８）。
【００３７】
図２における番号６は、呼出パルス信号サンプリング時間ｔ１以内に、α回以上β回未満で、規定幅Ｔ０に満たないノイズの入力がｔ３毎にあった場合の例である。この場合のサンプリング時間ｔ１内の処理の流れについて説明する。
【００３８】
判定制御手段３は、図３のメイン処理ＳＴ１を繰り返し行っている。呼出パルス信号サンプリングタイマがスタートした直後では、検出カウンタも未検出カウンタも「０」にリセットされている。図４の未検出判定処理（ＳＴ１０）で、前回ループ中に検出していなければ（ＳＴ１１）、未検出カウンタを１増やす（ＳＴ１２、ＳＴ１３）。なお、未検出カウンタの増加の際、カウンタが桁あふれを起こさないようにする（ＳＴ１４、ＳＴ１５）。
【００３９】
呼出パルス信号サンプリングタイマがスタートした直後で、サンプリング時間ｔ１はまだ経過していないので（ＳＴ２０）、ループ時間チェック（ＳＴ４０）へ進む。メイン処理全体は、ループ時間ｔ２で１周するようになっているので、ｔ２が経過するまでループし（ＳＴ４０）、ｔ２が経過したら再びメイン処理の先頭から処理を行う。
【００４０】
このようなループ中に、ノイズの入力があると、図６の割り込み処理（ＳＴ５０）が発生し、実際に処理が行われるまでにはｔ３の時間がかかる。これを割り込み内監視時間とする。その時点では、入力状態であるので（ＳＴ５１）、ｔ３以上の幅は確保されており、規定値Ｔ０の呼出パルス信号の入力であるとして、検出カウンタを１増やす（ＳＴ５２、ＳＴ５３）。なお、検出カウンタの増加の際、膨大な回数の割り込み発生によりカウンタが桁あふれを起こさないようにする（ＳＴ５４、ＳＴ５５、ＳＴ５６）。
【００４１】
ループを繰り返しているうちに、呼出パルス信号サンプリングタイマがｔ１に達したら（ＳＴ２０）、図５の呼出パルス信号入力判定処理（ＳＴ３０）を行う。ここでは、検出カウンタがα回以上（ＳＴ３１）β回未満（ＳＴ３２）であるが、未検出カウンタがδ回以上（ＳＴ３４）であるので、制御処理を行わず、呼出パルス信号サンプリングを再開するため、検出カウンタと未検出カウンタを「０」にリセットし（ＳＴ３６、ＳＴ３７）、呼出パルス信号サンプリングタイマｔ１を再スタートする（ＳＴ３８）。
【００４２】
以上のように、本発明の実施の形態１によれば、判定制御手段３が、ドロップアウト検出手段２から入力される呼出パルス信号のｔ１内のカウンタのしきい値と、ｔ１をさらに分割したｔ２毎の呼出パルス信号未検出カウンタのしきい値とから、呼出パルス信号の入力とノイズを明確に区別し、呼出の状態判定を行うことができる。
【００４３】
なお、呼出パルス信号が有効となる条件であるα≦検出カウンタ≦βかつγ≦未検出カウンタ≦δの、α、β、γ、δの関係は、α＋δ＝β＋γであり、例えば、３≦検出カウンタ≦８かつ４≦未検出カウンタ≦９となる。
【００４４】
（実施の形態２）
次に、本発明の実施の形態２について説明する。図１において、ドロップアウト検出手段２が玄関子機４からの呼出信号を受信すると、信号の状態によって異なる回数の呼出パルス信号を判定制御手段３に出力する。判定制御手段３は、呼出パルス信号のサンプリング時間内にα回以上β回未満の呼出パルス信号の入力があると、制御処理を行う。
【００４５】
以下、本実施の形態２における動作について、図７、８、９を参照して説明する。図７、８は図５、６と同様な判定制御手段３の動作フローチャートである、図７が図５と異なるのはＳＴ３７がＳＴ３５の次に来ていることだけであり、図８が図６と異なるのはＳＴ５７〜ＳＴ６０がＳＴ５１とＳＴ５２との間に挿入されていることだけである。図９は呼出パルス信号が入力されなくなり、再び入力される間の呼出パルス信号サンプリングのタイミングを時間軸に沿って示したものであり、（Ａ）は呼出パルス信号の入力が（Ｂ）と同じタイミングだが、呼出パルス信号サンプリングの再スタートがα回の入力中にかかってしまうため、α回の入力を二分して２度のサンプリングで判定することになり、制御処理は行われなくなってしまうことを示している。
【００４６】
以下に、（Ｂ）の状態について説明をする。ε＞ｔ１÷ｔ２とするため、呼出パルス信号サンプリング時間ｔ１以内に、規定幅Ｔ０の呼出パルス信号の入力が１度でもあれば、未検出カウンタがε回以上になることはないので（図８のＳＴ５７）、その場合の割り込み処理は、実施の形態１と同じ処理となる。したがって、図２の番号１〜番号６については、未検出カウンタがε回以上になることがないとすれば、実施の形態１と同様である。
【００４７】
（Ｂ）は、未検出回数がε回以上になった後に、規定幅Ｔ０で、α回の呼出パルス信号の入力があった場合を示している。図８および図７において、未検出回数がε回以上になった後、初めて呼出パルス信号の入力があった場合は（ＳＴ５７）、割り込み処理内で検出カウンタと未検出カウンタを「０」にリセットして（ＳＴ５８、ＳＴ５９）、呼出パルス信号サンプリングタイマｔ１を再スタートし（ＳＴ６０）、それからサンプリング時間ｔ１以内に検出カウンタがα回以上（ＳＴ３１）β回未満（ＳＴ３２）、未検出カウンタがγ回以上（ＳＴ３３）δ回未満（ＳＴ３４）であるので、制御処理が行われる（ＳＴ３５）。
【００４８】
このように、本実施の形態２によれば、呼出パルス信号の未検出カウンタが一定回数になった後、初めて呼出パルス信号の入力があった時点から呼出パルス信号の監視を直ちに開始することで、より正確な判定を行うことができる。
【００４９】
なお、呼出パルス信号が有効となる条件であるα≦検出カウンタ≦βかつγ≦未検出カウンタ≦δの、α、β、γ、δの関係は、α＋δ＝β＋γであり、例えば、３≦検出カウンタ≦８かつ４≦未検出カウンタ≦９となる。
【００５０】
また、上記各実施の形態において、ドロップアウト検出手段２が検出する玄関子機４からの呼出信号は、玄関子機４がテレビ付きドアホンの場合、その映像信号伝送時に、呼出ボタンを押し続けることで映像信号のブランキング部分に呼出ボタン動作信号を重畳させ、その信号をドロップアウト検出手段２で検出するようにしてもよい。この場合は、特開平８−２８０００５号公報記載の技術を応用することができる。
【００５１】
【発明の効果】
以上の説明から明らかなように、本発明によれば、玄関子機から呼出信号として送信される映像信号の欠落をドロップアウト検出手段で検出して呼出パルス信号を出力し、判定制御手段が、ドロップアウト検出手段から入力される呼出パルス信号のｔ１内の検出カウント値と、ｔ１をさらに分割したｔ２毎の呼出パルス信号の未検出カウント値とを基に、それぞれ検出カウントしきい値および未検出カウントしきい値と比較して、呼出信号か否かを判定することにより、呼出信号による呼出パルス信号とノイズによる呼出パルス信号とを明確に区別し、呼出信号か否かを正確に判定することができる。
【００５２】
また、玄関子機から呼出信号として送信される映像信号の欠落をドロップアウト検出手段で検出して呼出パルス信号を出力し、判定制御手段が、ドロップアウト検出手段から入力される呼出パルス信号のｔ１内の検出カウント値と、ｔ１をさらに分割したｔ２毎の呼出パルス信号の未検出カウント値とを基に、それぞれ検出カウントしきい値および未検出カウントしきい値と比較して、呼出信号か否かを判定するとともに、呼出パルス信号の未検出カウント値がｔ１をｔ２で割った値より大きな一定値になった後、初めて呼出パルス信号の入力があった時点で前記２つのカウンタおよびｔ１、ｔ２を初期化して、呼出パルス信号の検出と未検出のカウントを直ちに開始することで、より正確な判定を行うことができる。
【図面の簡単な説明】
【図１】本発明の実施の形態におけるテレビドアホン装置の構成を示す概略ブロック図
【図２】本発明の実施の形態における時間軸に沿った呼出パルス信号の幅と入力回数の一覧図
【図３】本発明の実施の形態におけるメイン処理のフロー図
【図４】本発明の実施の形態における未検出判定処理のフロー図
【図５】本発明の実施の形態１における呼出パルス信号入力判定処理のフロー図
【図６】本発明の実施の形態１における割り込み処理のフロー図
【図７】本発明の実施の形態２における呼出パルス信号入力判定処理のフロー図
【図８】本発明の実施の形態２における割り込み処理のフロー図
【図９】本発明の実施の形態における呼出パルス信号が入力されなくなり、間を空けて再び入力された場合のサンプリングのタイミング図
【符号の説明】
１    室内親機
２    ドロップアウト検出手段
３    判定制御手段
４    玄関子機
ｔ１    呼出パルス信号サンプリング時間
ｔ２    メイン処理ループ時間
【図１】
0003608600.tif 000002
【図３】
0003608600.tif 000003
【図４】
0003608600.tif 000004
【図５】
0003608600.tif 000005
【図６】
0003608600.tif 000006
【図７】
0003608600.tif 000007
【図８】
0003608600.tif 000008
【図９】
0003608600.tif 000009
【図２】
0003608600.tif 000010